(57)【特許請求の範囲】
【請求項１】
股間部と、股間部より前側に延在する腹側部と、股間部より後側に延在する背側部とを有し、
背側部の左右両側部に、幅方向外側に位置する第１止着部、及びこの第１止着部よりも幅方向中央側に位置する第２止着部をそれぞれ設け、
身体への装着に際し、左右各側において、前記第１止着部を前記腹側部外面に係止するとともに、前記第２止着部を前記背側部における前記第２止着部から前記第１止着部までの部位、若しくは前記腹側部外面における前記第１止着部の係止部位より幅方向中央側の部位に係止するように構成した、
ことを特徴とする止着タイプ使い捨ておむつ。
【請求項２】
前記身体への装着に際し、左右各側において、前記第１止着部を前記腹側部外面に係止するとともに、前記第２止着部を前記背側部における前記第２止着部から前記第１止着部までの部位、若しくは前記腹側部外面における前記第１止着部の係止部位より幅方向中央側の部位に係止するか、又は前記第２止着部を前記背側部分における第２止着部間の部位、若しくは反対側の第２止着部に係止するように構成した、請求項１記載の止着タイプ使い捨ておむつ。
【請求項３】
前記背側部分における前記第２止着部間に、幅方向に弾性伸縮する弾性伸縮部を設けるとともに、
前記背側部分の左右各側における第１止着部と第２止着部との間の部分のうち、第１止着側の部分に幅方向に弾性伸縮する弾性伸縮部を設け、第２止着部側の部分に幅方向に弾性伸縮しない非伸縮部を設けた、
請求項２記載の止着タイプ使い捨ておむつ。
【請求項４】
前記第１止着部と前記第２止着部とが互いに上下方向に重ならないようにそれぞれ配置された、請求項１〜３のいずれか１項に記載の止着タイプ使い捨ておむつ。
【発明の詳細な説明】
【技術分野】
【０００１】
本発明は、止着タイプ使い捨ておむつに関するものである。
【背景技術】
【０００２】
使い捨ておむつは、大きく分けてパンツタイプとテープタイプ（止着タイプの代表的形態）に分けられ、パンツタイプは主に立位で装着され、テープタイプは主に仰臥位で装着される。しかし、特に子供の場合、成長の過程で立位をとることが出来ない状態では、パンツタイプの着用はテープタイプの着用と比較して困難であり、また、頻繁に寝返りをうつ状態や四つん這いの状態では、テープタイプの着用において、テープを適した位置に固定することが困難な状況が生じうる。
【０００３】
特許文献１には、予めパンツタイプ使い捨ておむつのように形成されているもののテープタイプ使い捨ておむつのように展開可能なおむつが開示されている。しかし、このような使い捨ておむつにおいても、パンツタイプとしての使用またはテープタイプとしての使用のいずれかの使用に限られ、上記の着用の困難性を解消し得るものではなかった。
【０００４】
特許文献２には、テープタイプの使い捨ておむつ本体の胴回り内側に仮止め帯を設け、立位での着用を容易とした使い捨ておむつが開示されている。しかし、特許文献２に開示される使い捨ておむつは、胴回りの肌に直接触れる状態で仮止め帯を装着するため、着用感が劣る、という問題があった。また、当該使い捨ておむつは、乳幼児のように着用者が動き易い場合に適切な締め付け圧で装着することが困難であるといった問題点や、伏臥位や四つん這い状態での装着が困難であるといった問題点を有していた。
【先行技術文献】
【特許文献】
【０００５】
【特許文献１】特開２００８−１０４８７３号公報
【特許文献２】特開平１１−７０１４３号公報
【発明の概要】
【発明が解決しようとする課題】
【０００６】
そこで、本発明の主たる課題は、これらの問題点を解決することにある。
【課題を解決するための手段】
【０００７】
上記課題を解決した本発明は次のとおりである。なお、本発明において、「前後方向」及び「縦方向」とは吸収性本体の長手方向と同一の方向を指し、「幅方向」及び「横方向」とは、おむつを展開状態で平置きした状態における、吸収性本体の長手方向と垂直の方向を指すものとする。また、「上下方向」とは、立位の着用状態における上下方向を示すものとする。
【０００８】
＜請求項１記載の発明＞
股間部と、股間部より前側に延在する腹側部と、股間部より後側に延在する背側部とを有し、
背側部の左右両側部に、幅方向外側に位置する第１止着部、及びこの第１止着部よりも幅方向中央側に位置する第２止着部をそれぞれ設け、
身体への装着に際し、左右各側において、前記第１止着部を前記腹側部外面に係止するとともに、前記第２止着部を前記背側部における前記第２止着部から前記第１止着部までの部位、若しくは前記腹側部分外面における前記第１止着部の係止部位より幅方向中央側の部位に係止するように構成した、
ことを特徴とする止着タイプ使い捨ておむつ。
【０００９】
（作用効果）
本発明では、例えば次のような装着が可能となる。すなわち、先ず第１止着部を腹側部外面に係止することにより着用者の胴回りに対して緩く仮装着し、第２止着部は止着せずにおく。つまり、第１止着部は仮装着用であり、必ずしも係止部の正確な位置に係止される必要がなく、着用者が動く等、正確な作業が困難な場合でも容易に作業を行うことができる。この際、通常のテープタイプおむつのように、着用者におむつの吸収体部分をあてがった後に第１止着部を係止する他、予め第１止着部を係止した後にパンツタイプのように着用者に穿かせてもよい。脇部分に充分な隙間があれば、第１止着部を係止した状態で、容易に穿かせることが可能である。
【００１０】
しかる後、第２止着部を背側部における第２止着部から第１止着部までの部位、若しくは腹側部分外面における第１止着部の係止部位より幅方向中央側の部位に係止することで、胴回りの締め付けが適切となるように増し締めを行う。既に、第１止着部による仮装着によっておむつの大まかな位置決めがなされているため、着用者が動く等、正確な作業が困難な場合でも、比較的容易に適切な増し締めが可能となる。
【００１１】
＜請求項２記載の発明＞
前記身体への装着に際し、左右各側において、前記第１止着部を前記腹側部外面に係止するとともに、前記第２止着部を前記背側部における前記第２止着部から前記第１止着部までの部位、若しくは前記腹側部分外面における前記第１止着部の係止部位より幅方向中央側の部位に係止するか、又は前記第２止着部を前記背側部分における第２止着部間の部位、若しくは反対側の第２止着部に係止するように構成した、請求項１記載の止着タイプ使い捨ておむつ。
【００１２】
（作用効果）
このような構成とすることにより、第１止着部を腹側部分に係止した仮装着状態で第２止着部を係止する際、着用者が伏臥位、又は四つん這い状態等になっていても、第２止着部を、腹側ではなく背側に回して、背側部分における第２止着部間の部位若しくは反対側の第２止着部に係止することにより増し締めすることができ、適切な締め付け圧で装着することができる。
【００１３】
＜請求項３記載の発明＞
前記背側部分における前記第２止着部間に、幅方向に弾性伸縮する弾性伸縮部を設けるとともに、
前記背側部分の左右各側における第１止着部と第２止着部との間の部分のうち、第１止着側の部分に幅方向に弾性伸縮する弾性伸縮部を設け、第２止着部側の部分に幅方向に弾性伸縮しない非伸縮部を設けた、
請求項２記載の止着タイプ使い捨ておむつ。
【００１４】
（作用効果）
背側部分の幅方向全体にわたり幅方向に弾性伸縮する部分を設けると、第２止着部を腹側に回して係止する場合には第２止着部間の部分の弾性伸縮によりフィット性が向上し、第２止着部を背側に回して止着する場合には第１止着部と第２止着部との間の部分の弾性伸縮によりフィット性が向上する。しかし、その場合、第２止着部を腹側に回して第１止着部と第２止着部との間の部分に係止する場合、当該係止対象部分が弾性伸縮することにより係止力が低下する、あるいは係止し難くなるといったおそれがある。そこで、上述のように係止対象部分に非伸縮部を設け、フィット性及び係止性の両立を図るのが好ましい。
【００１５】
＜請求項４記載の発明＞
前記第１止着部と前記第２止着部とが互いに上下方向に重ならないようにそれぞれ配置された、請求項１〜３のいずれか１項に記載の止着タイプ使い捨ておむつ。
【００１６】
（作用効果）
第１止着部及び第２止着部をいずれも腹側の係止部に止着される場合、第１止着部の係止位置の横方向の位置が、第２止着部の係止位置と重なる場合があり得る。この場合、第１止着部と第２止着部の上下方向の位置も一致すると、第２止着部を係止部に係止することが困難となる。
本発明は、第１止着部と第２止着部の上下方向の位置をずらすことで、第２止着部を係止部に係止しやすい構成とした。
【発明の効果】
【００１７】
以上のとおり、本発明によれば、より容易に適切な締め付け圧での装着が可能となる、等の利点がもたらされる。
【図面の簡単な説明】
【００１８】
【図１】本発明に係る使い捨ておむつの第１の実施形態を示す展開状態の内面側平面図である。
【図２】本発明に係る使い捨ておむつの展開状態の外面側平面図である。
【図３】図１の３−３断面図である。
【図４】図１の４−４断面図である。
【図５】図１の５−５断面図である。
【図６】図１の６−６断面図である。
【図７】図１の７−７断面図である。
【図８】組み立て途中の正面図である。
【図９】第１止着部を係止した仮止め状態のおむつの正面図である。
【図１０】第２止着部を腹側の係止部に係止した装着状態のおむつの正面図である。
【図１１】第２止着部を背側中央部に係止した装着状態のおむつの背面図である。
【図１２】止着部の結合状態を示す断面図である。（ａ）図１１の８−８線における止着部の断面図、（ｂ）図１６の９−９線における止着部断面図である。
【図１３】本発明に係る使い捨ておむつの第２の実施形態を示す展開状態の外面側平面図である。
【図１４】本発明に係る使い捨ておむつの第３の実施形態を示す展開状態の外面側平面図である。
【図１５】本発明に係る使い捨ておむつの第４の実施形態を示す展開状態の外面側平面図である。
【図１６】第４の実施形態において、第２止着部を背側で係止した装着状態のおむつの背面図である。
【発明を実施するための形態】
【００１９】
以下、本発明の一実施形態について、添付図面を参照しながら詳細に説明する。なお、以下、本発明に係る止着タイプ使い捨ておむつは「使い捨ておむつ」または「おむつ」と表記する。
【００２０】
＜使い捨ておむつの実施形態＞
図１は、使い捨ておむつの実施形態の例を示す内面側平面図であり、図２は、その外面側平面図である。本実施形態のおむつは、中間部１０ｃと、その両側にそれぞれ張り出したサイドフラップ部１１，１２とを有し、装着者の胴回りに巻き付けられる帯状の胴回り部１０と、後端部が胴回り部１０の中間部１０ｃに連結され、背側から股間部を通り腹側までを覆うように装着される吸収性本体２０とから構成されている。なお、胴回り部１０と吸収性本体２０は、図示例の様な別体ではなく、一体として形成してもよい。
【００２１】
吸収性本体２０は、製品の前後方向を長手とする長方形をなし、装着者の腹部、股間部および臀部を覆うように、製品の幅方向中央に沿って設けられており、その後端部２０Ｂは、ホットメルト接着等により胴回り部１０の中間部１０ｃの内面に着脱不能に固定されている。なお、吸収体本体２０の形状は、脚回りにそって括れを有する砂時計状であってもよい（図示せず）。
【００２２】
なお、吸収性本体２０の後端部２０Ｂを、粘着テープ、ターゲットテープ等を用いて胴回り部１０の中間部１０ｃの内面に着脱自在に連結することもできることは言うまでもない。おむつ交換時に汚れた吸収性本体２０のみを取り外し、新しい吸収性本体２０を取り付けるといった使い方ができるため好ましい。
【００２３】
吸収性本体２０は、排泄物を受け止めて液分を吸収保持するものであり、図３〜図５に示されるように、身体に接触する使用面をなす液透過性トップシート２１と、液不透過性シート２３と、これらの間に介在された吸収体２２とを有し、周縁部においてトップシート２１および液不透過性シート２３がホットメルト接着等により接合された構造を有している。
【００２４】
また、吸収性本体２０の、胴回り部１０が取り付けられた端部と対向する端部において、胴回り部１０より小さく、伸縮性を有さない、フラップ形成部材を取り付けてもよい。このようにして、胴回り部１０の対向側の吸収性本体端部近傍の両側部に小さいフラップを設けると、止着式として装着する際に止着部と係止部の位置合せをする時の連結部のつまみ部とすることができ、好適である。
【００２５】
トップシート２１は、不織布、透液開口を有するフィルム、ネットシートなどから形成することができ、液不透過性シート２３は、ポリエチレンシート等のプラスチック製シートなどから形成することができる。液不透液性シートの外側には、エアスルー不織布、ポイントボンド不織布、スパンボンド不織布、ＳＭＳ不織布等の外装不織布が張り合わせられていてもよい（図示せず）。外装を不織布としない場合は、特に、シート表面に、別途フックが絡まるループが多数形成されたターゲットテープ２６を設け、これを連結部とする。ターゲットテープ２６は、図示例のように前後方向の中央より前側の部分等、一部に設けるのが好ましいが、全体にわたり設けることもできる。なお、外装を不織布とする場合であっても、ターゲットテープ２６を設けることが好ましい。
【００２６】
吸収体２２としては、綿状パルプ等のように短繊維を積繊したものの他、フィラメントの集合体からなるもの等も使用できる。フィラメントの集合体は、セルロースアセテート等のトウ（繊維束）を開繊することにより形成することができる。吸収体２２には、必要に応じて高吸収性ポリマー（ＳＡＰ）を含有させたり、クレープ紙や不織布等により包んだりすることができる。
【００２７】
さらに、吸収性本体２０の幅方向両側部には、装着時においてトップシート２１に対して起立するバリヤーカフス３０，３０がそれぞれ設けられている。より詳細には、吸収性本体２０の両側部における長手方向全体にわたり、帯状をなすバリヤーシート３１の幅方向外側の縁部３１ａがホットメルト接着等によりトップシート２１表面に固定され、幅方向中央側の部分３１ｂは、吸収性本体２０の前後端部ではホットメルト接着等によりトップシート２１表面に固定され、長手方向中間部では非固定とされている。また、この非固定部分３１ｂは、先端側部分を折り返して基端側部分に張り合わせることにより二重構造とされ、この二重構造部分のシート間に、糸ゴム等の細長状弾性伸縮部材３２が伸張状態で長手方向に沿って挟持固定されている。使用時には、この弾性伸縮部材３２の収縮力によりバリヤーシート３１の非固定部分３１ｂがトップシート２１から離間するように起立し、その先端部が装着者の脚回りに密着する。その結果、トップシート２１上を伝って横方向に移動する排泄物が阻止され、横漏れが防止されるようになる。バリヤーシート３１としては撥水性不織布を好適に用いることができる。
【００２８】
胴回り部１０は、装着者の胴が通されるウエスト開口部から装着者の脚が通されるレッグ開口部までの部分となる帯状部材である。胴回り部１０は、製品幅方向において吸収性本体２０と対応する中間部１０ｃと、その両側に張り出した第１及び第２サイドフラップ部１１，１２とを有している。各サイドフラップ部１１，１２は、上下方向寸法がおむつの全長の１／５以上、特に１／４以上あると、着用者の胴回りの腹部から鼠蹊部にかけての範囲を広く覆うことができるため、優れた胴回りのフィット性が得られる。ただし、足回りがきつくなるため、１／３以上にはしないことが望ましい。なお、サイドフラップ部の形状が例えばテーパ状であるなどして、上下方向寸法が一様でない場合は、サイドフラップ部の幅方向中央における上下方向寸法を基準とする。また、各サイドフラップ部１１，１２は、収縮時の１．２〜３倍、特に１．５〜２．５倍まで伸張することが可能であると好ましく、伸張時の幅方向寸法が中間部１０ｃの１〜３倍、特に１．５〜２．５倍程度であると、胴回りの寸法調整がしやすいため、好ましい。なお、収縮時、伸張時の幅方向寸法の割合については、サイドフラップを引っ張らずに自然に収縮させた状態における幅方向寸法を１倍として算出するものとする。
【００２９】
より詳細には、図６，７の各断面図から理解されるように、胴回り部１０はその全体にわたる本体シート１３を基本とし、部材の付加により各部に機能を持たせたものである。図示例においては、本体シート１３は、複数枚の不織布１３ａ，１３ｂを重ね合わせてホットメルト接着剤等により固定され、胴回り部の中間部１０ｃおよびサイドフラップ部１１，１２にわたり、弾性伸縮部材１４が幅方向（胴回り方向）に沿って伸張状態で断続的に挟持固定されている。本体シート１３を構成する不織布１３ａ，１３ｂとしては、十分な係合力を発揮する観点から、坪量が１０〜３５ｇ／ｍ2であるのが好ましく、また種類としてはエアスルー不織布、ポイントボンド不織布、スパンボンド不織布、ＳＭＳ不織布等が好適である。サイドストラップ部１１，１２のうち、弾性部材が幅方向に沿って配され、伸縮性を有する部分をサイド伸縮部１１ｘ，１２ｘ、弾性部材が配されない部分をサイド非伸縮部１１ｙ，１２ｙとする。サイド非伸縮部は、左右のサイドフラップにそれぞれ１箇所以上設けることが好ましい。
【００３０】
なお、本体シート１３を構成する不織布を一重とし、弾性部材１４を設けない構成としてもよく、また、中間部１０ｃにおける本体シートと吸収体の不透液性シート２３との間にのみ弾性部材を配する構成としてもよい。
【００３１】
図示例においては、弾性伸縮部材１４が胴回り部１０の中間部１０ｃ全体に配されているが、中間部１０ｃでは弾性伸縮部材１４が切断されており、伸縮力が作用しないように構成されていてもよい。なお、弾性伸縮部材１４の配設領域は、吸収性本体２０の外形線にぴったり一致させる必要はなく、その近傍であれば、弾性伸縮部材１４は、吸収性本体２０と重なっていても離れていても構わない。
【００３２】
弾性伸縮部材１４としては、糸ゴムや弾性発泡体の帯状物、フィルム状の弾性体、ネット状の弾性体等を使用できるが、多数の糸ゴムを胴回り方向に沿って複数本平行に設けるのが好ましい。具体的には、太さ３１０〜１２４０ｄｔｅｘ好ましくは３１０〜６２０ｄｔｅｘ程度の糸ゴムを、３〜６ｍｍの間隔で５〜１５本程度、伸張率１５０〜３５０％好ましくは２００〜３００％程度で固定するのが好ましい。ここでいう伸張率とは、弾性伸縮部材の自然長を１００％としたときの伸長時の長さの割合を意味する。
【００３３】
＜胴回り部止着部の実施形態＞
（第１の実施形態）
胴回り部止着部の第１の実施形態について、図１、２及び図８〜１１に示す。図１、２においては、胴回り部１０の幅方向外側に延出するように、第１止着部４１，４２が設けられている。図示例においては、第１止着部４１，４２は別体として形成され、その幅方向中央側の端部がサイドフラップ部１１，１２の外側面にホットメルト接着剤等で固着されているが、胴回り部本体シート１３と一体として形成してもよい。第１止着部の幅方向外側に延出した部分には、図１に示すように、その内面にそれぞれ止着手段４１ｘ，４２ｘが、設けられる。止着手段４１ｘ，４２ｘは、第１止着部４１，４２の上下方向の４／５以上の範囲にわたって設けられていることが好ましい。止着手段は、具体的には、表面に茸状、Ｊ字状等のフック状突起が多数配列されたフックテープ（メカニカルファスナーの雄材）が好適に使用され、好ましくは上下方向の全体にわたりホットメルト接着等により貼り付けられている。
【００３４】
胴回り部１０のサイドフラップ部１１，１２には、第１止着部に加え、更に幅方向中央側に第２止着部４３，４４を有する。第２止着部４３，４４は、第１止着部４１，４２と上下方向同位置に配してもよいが、後述するように、腹側の係止部２６への係止を容易とするために、上下方向にずらして配することがより好ましい。図示例においては、第１止着部４１，４２をサイドフラップ部の上端付近、第２止着部４３，４４を下端付近に配することで、上下方向に重ならないように構成されている。なお、第１止着部４１，４２を下端付近に、第２止着部４３，４４を上端付近に配する構成としてもよい。
【００３５】
図示例においては、第２止着部４３，４４は、図示例のように本体の幅方向中央側の端部をサイドフラップに固着されており（図２）、また、第２止着部の止着手段４３ｘ，４４ｘは、第２止着部の内面側に配されている（図１１）。しかし、第２止着部４３，４４は、本体の幅方向端部側を固着してもよく、また、止着手段４３ｘ，４４ｘを外側面に配してもよい。
【００３６】
第２止着部４３，４４は、その止着手段４３ｘ，４４ｘの腹側の係止位置が、腹側の係止部２６または、胴回り部１０の非伸縮部１１ｙ，１２ｙとなる位置に配するのが好ましい。具体的には、第２止着部の固着位置を胴回り部１０の非伸縮部１１ｙ，１２ｙとするのが好ましい。
【００３７】
第１止着部、第２止着部のうち、少なくとも第２止着部は、エアスルー不織布、ポイントボンド不織布、スパンボンド不織布、ＳＭＳ不織布等の不織布とすることが好ましい。より好適には、第１止着部、第２止着部ともに不織布で構成されることが望ましい。
【００３８】
第１の実施形態に係るおむつについて、その着用時の形態の変化を図８〜１０に示す。まず、図８に示すように、透液性トップシート２３が内側になるように、吸収性本体２０の腹側部Ｆを背側部Ｂ側に折り返すことにより、係止部２６を上下方向の上部に移動する。次いで胴回り部１０のサイドフラップ部１１，１２を、それぞれ腹側からみて谷折りに上下方向にほぼ平行な線で折返し、端部の第１止着部４１，４２の止着手段４１ｘ，４２ｘを係止部２６に係止させ、仮止め状態とする（図９）。さらに、二つ折りになっているサイドフラップ部１１，１２をそれぞれ腹側からみて谷折りに上下方向にほぼ平行な線で折返し、第２止着部４３，４４の止着手段を係止部２６に止着させる（図１０）。これにより、腹側への係止によるおむつの着用者への固定が可能となる。
【００３９】
おむつの着用は、上記の腹側のみの固定だけではなく、背側への止着部の係止によっても実施することができる。その場合の着用時の形態の変化を図８，９及び図１１に示す。仮止め状態とするまでは、上記の着用と同様である。図９の仮止め状態から、二つ折りとなったサイドフラップ部１１，１２を背側からみて谷折りに上下方向にほぼ平行な線で折返し（すなわち、腹側からみて山折りに折返し）、第２止着部４３，４４の止着手段４３ｘ，４４ｘを連続帯状の本体シート１３の中央部１０ｃ外側部分に止着させる（図１１）。図示例においては、サイドフラップ部を折り返した時点で、止着手段４３ｘ，４４ｘは本体の外側を向くため、止着部材の止着手段箇所を内側に折り返して止着する（図１２（ａ））。なお、背側の止着手段当接部位にループテープ等の止着手段を設けてもよい。
【００４０】
（第２の実施形態）
第１の実施形態の図示例においては、第１止着部と第２止着部とが、本体幅方向に平行となるように配されているが、図１３に示す第２の実施形態のように、第２止着部４３，４４をサイドフラップ部１１，１２の上下方向下端付近に配し、かつ、幅方向端部側が上下方向の上部に来るように、斜めに配してもよい。この実施形態においては、第２止着部を腹側係止部２６に係止する場合において、脚部開口が狭くなるため、比較的脚の細い着用者に適した形態となる。他の構成については、第１の実施形態と同様の形態である。
【００４１】
（第３の実施形態）
図１４に示す第３の実施形態においては、第２止着部４３，４４をサイドフラップ部１１，１２の上下方向下端部付近に配し、かつ、幅方向端部側が上下方向の下部にくるように斜めに配されている。この実施形態においては、第２止着部を腹側係止部２６に係止する場合において、脚部開口が広くなるため、比較的脚の太い着用者に適した形態となる。他の構成については、第１の実施形態と同様の形態である。
【００４２】
（第４実施形態）
図１５，１６に第４の実施形態を示す。第４の実施形態は、特に第２止着部を背側で固定するのに適した形態である。図１５は、第４の実施形態に係るおむつの展開図の背面図を示す。図１５において、第２止着部は第１〜第３の実施形態に比して幅方向に長く、本体幅方向端部側のみがサイドフラップ部１１，１２に固着されている。また、第２止着部４３，４４の止着手段４３ｘ，４４ｘは、外側面に固着されている。
【００４３】
本実施形態に係るおむつの着用において、第１止着部の係止までは、第１の実施形態と同様に実施される。第２止着部を腹側係止部に係止する際には、第２止着部のサイドフラップ部への固着部の根元より腹側に折り返すことにより、係止可能である。
【００４４】
第２止着部を背側で係止する際において、本実施形態は、図１６及び図１２（ｂ）に示すように、第２止着部の部材同士で係止することが可能である。サイドフラップ部１１，１２を背側に折り返した場合、第２止着部４３，４４の止着手段４３ｘ，４４ｘはいずれも外側面に配されるため、互いに係止することが困難である。しかし、本実施形態においては、第２止着部４３，４４も部材の非固着側の端部に、止着手段４３ｘ，４４ｘよりも幅方向に長い折り代部４３ｙ，４４ｙを有し、当該折り代部４３ｙ，４４ｙを止着手段側に折り返すことにより、止着手段４３ｘ，４４ｘをカバーすることができる。図示例においては、止着手段４３ｘが折り代部４３ｙでカバーされている。一方、止着手段４４ｘは、折り代部４４ｙではカバーされずに、そのまま内側に折り返され、折り代部４３ｙの裏面側に係止している。なお、止着手段４３ｘ，４４ｘ及び折り代部４３ｙ，４４ｙをそれぞれ逆の形態としてもよい。このような構成とすることで、おむつ本体の外側にフックテープ等の止着手段が露出することなく、第２止着部同士を係止することが可能である。
【００４５】
図示例においては、２つの第２止着部４３，４４を同一の形態とし、いずれの止着部をもう一方の止着部に係止してもよい構成としたが、例えば、第２止着部４４のみ、本体内側面に止着手段４４ｘを設け、かつ折り代部を設けない形態とし、第２止着部間の係止を不可逆的に行う構成としてもよい。
【００４６】
（その他）
（イ）上記例におけるメカニカルファスナーの雌雄（フックテープと不織布もしくはターゲットテープ）を反対に設ける、つまり雄材が設けられている部分に雌材を設け、雌材が設けられている部分に雄材を設けることができる。
（ロ）上記例では、止着部分の係止手段としてメカニカルファスナーを用いているが、これに代えて粘着材層等、他の手段を用いることもできる。粘着材を用いる場合、止着部に粘着剤層を設け、連結部に何も設けなくても良いが、粘着剤が剥離及び再接着可能なように粘着する樹脂フィルムを設けるのが好ましい。例えば、胴回り部１０の止着部に粘着材層を設け、吸収性本体２０の外面に剥離処理を施した樹脂フィルムを固定する形態が好ましい。
（ハ）上記例とは反対に、吸収性本体２０の前端部は、ホットメルト接着等により胴回り部１０の中間部１０ｃの内面に固定し、吸収性本体２０の後側部分の外面に、胴回り部分を着脱自在に連結するように構成することもできる。
【産業上の利用可能性】
【００４７】
本発明は、止着タイプ使い捨ておむつに利用できるものである。
【符号の説明】
【００４８】
１０…胴回り部、１１，１２…サイドフラップ部、１３…胴回り部本体シート、１４…弾性伸縮部材、２０…吸収性本体、２１…トップシート、２２…吸収体、２３…液不透過性シート、２６…係止部、２７…弾性伸縮部材、４１，４２…第１止着部、４３，４４…第２止着部。
【図１】
0005615116.tif 000002
【図２】
0005615116.tif 000003
【図３】
0005615116.tif 000004
【図４】
0005615116.tif 000005
【図５】
0005615116.tif 000006
【図６】
0005615116.tif 000007
【図７】
0005615116.tif 000008
【図８】
0005615116.tif 000009
【図９】
0005615116.tif 000010
【図１０】
0005615116.tif 000011
【図１１】
0005615116.tif 000012
【図１２】
0005615116.tif 000013
【図１３】
0005615116.tif 000014
【図１４】
0005615116.tif 000015
【図１５】
0005615116.tif 000016
【図１６】
0005615116.tif 000017